【手続補正書】
【提出日】平成19年2月21日(2007.2.21)
【手続補正１】
【補正対象書類名】特許請求の範囲
【補正対象項目名】全文
【補正方法】変更
【補正の内容】
【特許請求の範囲】
【請求項１】
画像データを予め記憶する記憶手段と、
該記憶手段に予め記憶された画像データに基づいて転写媒体に画像を書き込み、書き込まれた画像を現像し、転写媒体上に画像を形成する作像手段と、
前記転写媒体上に作像された画像が転写され、当該転写された画像を複数面担持可能な中間転写媒体と、
画像データを転写するのに必要な転写紙のサイズを取得するサイズ取得手段と、
転写紙を供給する給紙手段と、
前記各手段を制御し、画像データを転写するのに必要なサイズの前記転写紙を前記中間転写媒体の転写位置に供給し、当該転写紙上に画像を形成させる制御手段と、
を備えたデジタル画像形成装置であって、
前記制御手段は、前記中間転写体上に形成する面の数が複数に設定されたモードで画像を形成しているとき、
前記記憶手段に予め記憶された２面目以降の画像データを転写するのに必要な転写紙のサイズと同じ転写紙が存在しない場合には、
前記転写紙がなくなった面数以降に対応する画像データに基づいた前記作像手段による画像形成を行なわず、前記転写紙がなくなった面数以降でない画像についてのみ前記制御手段による画像形成を行なう
ことを特徴とするデジタル画像形成装置。
【請求項２】
前記給紙手段は、前記作像手段による画像の形成を完了する前に、該画像に対応する画像データを転写するのに必要なサイズの転写紙の給紙を行い、該サイズの転写紙が存在しないかどうかを確認することを特徴とする請求項１記載のデジタル画像形成装置。
【請求項３】
前記複数に設定されたモードが２面の画像を形成するモードであり、前記給紙する転写紙がなくなったことを検知した時点で、画像を形成している現在の２面の画像を形成するモードから単数の画像を形成するモードに変更することを特徴とする請求項１又は２記載のデジタル画像形成装置。
【請求項４】
前記制御手段は、前記中間転写体上に形成する面の数が複数に設定されたモードで画像を形成しているとき、２面目以降の画像を転写する転写紙がなくなった場合には、前記作像手段によって書き込まれ、前記中間転写体上に画像を形成する画像データを前記制御手段の指示によって白画像データとして出力し、マスクすることを特徴とする請求項１又は２記載のデジタル画像形成装置。
【請求項５】
前記記憶手段を制御する記憶制御手段をさらに備え、
前記記憶手段は入力された画像データを少なくとも１面分記憶可能であって、前記記憶制御手段は、前記中間転写体上に形成する面の数が複数であるモードで画像を形成しているとき、２面目以降に給紙する転写紙がなくなった場合には、前記記憶手段に格納する画像データをマスクし、
前記制御手段はマスクされた画像データに基づいて画像を形成させることを特徴とする請求項１又は２記載のデジタル画像形成装置。
【請求項６】
前記記憶手段を制御する記憶制御手段をさらに備え、
前記記憶手段は入力された画像データを少なくとも１面分記憶可能であって、前記記憶制御手段は、前記中間転写体上に形成する面の数が複数であるモードで画像を形成しているとき、２面目以降の画像を転写する転写紙がなくなった場合には、前記記憶手段から読み出される画像データをマスクし、
前記制御手段はマスクされた画像データに基づいて画像を形成させることを特徴とする請求項１又は２記載のデジタル画像形成装置。
【請求項７】
前記記憶手段を制御する記憶制御手段をさらに備え、
前記記憶手段は入力された画像データを少なくとも１面分記憶可能であって、前記記憶制御手段は、前記中間転写体上に形成する面の数が複数であるモードで画像を形成しているとき、２面目以降の画像を転写する転写紙がなくなった場合には、前記記憶手段へのアクセスを中止し、
前記制御手段は、前記記憶制御手段の前記記憶手段へのアクセスの中止に対応して前記記憶手段に格納されない画像データに基づいて画像を形成させることを特徴とする請求項１又は２記載のデジタル画像形成装置。
【請求項８】
前記転写媒体に書き込まれる画像の画像データは、画像を光学的に読み込んで電気信号に変換する画像読み取り装置から入力されることを特徴とする請求項１ないし７のいずれか１項に記載のデジタル画像形成装置。
【請求項９】
前記転写媒体に書き込まれる画像の画像データは、情報処理装置から画像信号として入力されることを特徴とする請求項１ないし７のいずれか１項に記載のデジタル画像形成装置。
【請求項１０】
画像データを予め記憶する記憶手段と、
該記憶手段に予め記憶された画像データに基づいて転写媒体に画像を書き込み、書き込まれた画像を現像し、転写媒体上に画像を形成する作像手段と、
前記転写媒体上に作像された画像が転写され、当該転写された画像を２面担持可能な中間転写媒体と、
画像データを転写するのに必要な転写紙のサイズを取得するサイズ取得手段と、
転写紙を供給する給紙手段と、
前記各手段を制御し、画像データを転写するのに必要なサイズの前記転写紙を前記中間転写媒体の転写位置に供給し、当該転写紙上に画像を形成させる制御手段と、
を備えたデジタル画像形成装置であって、
前記制御手段は、前記中間転写体上に形成する面の数が２面に設定されたモードで画像を形成しているとき、
前記記憶手段に予め記憶された２面目以降の画像データを転写するのに必要な転写紙のサイズと同じ転写紙が存在しない場合には、
前記転写紙がなくなった面数以降に対応する画像データに基づいた前記作像手段による画像形成を行なわず、前記転写紙がなくなった面数以降でない画像についてのみ前記制御手段による画像形成を行なう
ことを特徴とするデジタル画像形成装置。
【請求項１１】
画像データを予め記憶する記憶手段と、
該記憶手段に予め記憶された画像データに基づいて転写媒体に画像を書き込み、書き込まれた画像を現像し、転写媒体上に画像を形成する作像手段と、
前記転写媒体上に作像された画像が転写され、当該転写された画像を複数面担持可能な中間転写媒体と、
画像データを転写するのに必要な転写紙のサイズを取得するサイズ取得手段と、
転写紙を供給する給紙手段と、
を備え、前記各手段によって画像データを転写するのに必要なサイズの前記転写紙を前記中間  転写媒体の転写位置に供給し、当該転写紙上に画像を形成させる画像形成方法であって、
前記中間転写体上に形成する面の数が複数に設定されたモードで画像を形成しているとき、
前記記憶手段に予め記憶された２面目以降の画像データを転写するのに必要な転写紙のサイズと同じ転写紙が存在しない場合には、
前記転写紙がなくなった面数以降に対応する画像データに基づいた前記作像手段による画像形成を行なわず、前記転写紙がなくなった面数以降でない画像についてのみ画像形成を行なうことを特徴とする画像形成方法。
【請求項１２】
画像データを予め記憶する記憶手段と、
該記憶手段に予め記憶された画像データに基づいて転写媒体に画像を書き込み、書き込まれた画像を現像し、転写媒体上に画像を形成する作像手段と、
前記転写媒体上に作像された画像が転写され、当該転写された画像を複数面担持可能な中間転写媒体と、
画像データを転写するのに必要な転写紙のサイズを取得するサイズ取得手段と、
転写紙を供給する給紙手段と、
前記各手段を制御し、画像データを転写するのに必要なサイズの前記転写紙を前記中間  転写媒体の転写位置に供給し、当該転写紙上に画像を形成させる制御手段と、
を備えたデジタル画像形成装置の画像形成プログラムが記録された情報記録媒体であって、
前記中間転写体上に形成する面の数が複数に設定されたモードで画像を形成しているとき、前記記憶手段に予め記憶された２面目以降の画像データを転写するのに必要な転写紙のサイズと同じ転写紙が存在しない場合には、前記転写紙がなくなった面数以降に対応する画像データに基づいた前記作像手段による画像形成を行なわず、前記転写紙がなくなった面数以降でない画像についてのみ画像形成を行わせる手順を備えた画像形成プログラムがコンピュータによって読み込まれ、実行可能に記録されていることを特徴とする情報記録媒体。
【手続補正２】
【補正対象書類名】明細書
【補正対象項目名】００１４
【補正方法】変更
【補正の内容】
【００１４】
前記目的を達成するため、第１の手段は、画像データを予め記憶する記憶手段と、該記憶手段に予め記憶された画像データに基づいて転写媒体に画像を書き込み、書き込まれた画像を現像し、転写媒体上に画像を形成する作像手段と、前記転写媒体上に作像された画像が転写され、当該転写された画像を複数面担持可能な中間転写媒体と、画像データを転写するのに必要な転写紙のサイズを取得するサイズ取得手段と、転写紙を供給する給紙手段と、前記各手段を制御し、画像データを転写するのに必要なサイズの前記転写紙を前記中間転写媒体の転写位置に供給し、当該転写紙上に画像を形成させる制御手段とを備えたデジタル画像形成装置であって、前記制御手段は、前記中間転写体上に形成する面の数が複数に設定されたモードで画像を形成しているとき、前記記憶手段に予め記憶された２面目以降の画像データを転写するのに必要な転写紙のサイズと同じ転写紙が存在しない場合には、前記転写紙がなくなった面数以降に対応する画像データに基づいた前記作像手段による画像形成を行なわず、前記転写紙がなくなった面数以降でない画像についてのみ前記制御手段による画像形成を行なうことを特徴とする。
第２の手段は、第１の手段において、前記給紙手段が、前記作像手段による画像の形成を完了する前に、該画像に対応する画像データを転写するのに必要なサイズの転写紙の給紙を行い、該サイズの転写紙が存在しないかどうかを確認することを特徴とする。
第３の手段は、第１又は第２の手段において、前記複数に設定されたモードが２面の画像を形成するモードであり、前記給紙する転写紙がなくなったことを検知した時点で、画像を形成している現在の２面の画像を形成するモードから単数の画像を形成するモードに変更することを特徴とする。
第４の手段は、第１又は第２の手段において、前記制御手段が、前記中間転写体上に形成する面の数が複数に設定されたモードで画像を形成しているとき、２面目以降の画像を転写する転写紙がなくなった場合には、前記作像手段によって書き込まれ、前記中間転写体上に画像を形成する画像データを前記制御手段の指示によって白画像データとして出力し、マスクすることを特徴とする。
第５の手段は、第１又は第２の手段において、前記記憶手段を制御する記憶制御手段をさらに備え、前記記憶手段は入力された画像データを少なくとも１面分記憶可能であって、前記記憶制御手段は、前記中間転写体上に形成する面の数が複数であるモードで画像を形成しているとき、２面目以降に給紙する転写紙がなくなった場合には、前記記憶手段に格納する画像データをマスクし、前記制御手段はマスクされた画像データに基づいて画像を形成させることを特徴とする。
第６の手段は、第１又は第２の手段において、前記記憶手段を制御する記憶制御手段をさらに備え、前記記憶手段は入力された画像データを少なくとも１面分記憶可能であって、前記記憶制御手段は、前記中間転写体上に形成する面の数が複数であるモードで画像を形成しているとき、２面目以降の画像を転写する転写紙がなくなった場合には、前記記憶手段から読み出される画像データをマスクし、前記制御手段はマスクされた画像データに基づいて画像を形成させることを特徴とする。
第７の手段は、第１又は第２の手段において、前記記憶手段を制御する記憶制御手段をさらに備え、前記記憶手段は入力された画像データを少なくとも１面分記憶可能であって、前記記憶制御手段は、前記中間転写体上に形成する面の数が複数であるモードで画像を形成しているとき、２面目以降の画像を転写する転写紙がなくなった場合には、前記記憶手段へのアクセスを中止し、前記制御手段は、前記記憶制御手段の前記記憶手段へのアクセスの中止に対応して前記記憶手段に格納されない画像データに基づいて画像を形成させることを特徴とする。
第８の手段は、第１ないし第７のいずれかの手段において、前記転写媒体に書き込まれる画像の画像データは、画像を光学的に読み込んで電気信号に変換する画像読み取り装置から入力されることを特徴とする。
第９の手段は、第１ないし第７のいずれか手段において、前記転写媒体に書き込まれる画像の画像データは、情報処理装置から画像信号として入力されることを特徴とする。
第１０の手段は、画像データを予め記憶する記憶手段と、該記憶手段に予め記憶された画像データに基づいて転写媒体に画像を書き込み、書き込まれた画像を現像し、転写媒体上に画像を形成する作像手段と、前記転写媒体上に作像された画像が転写され、当該転写された画像を２面担持可能な中間転写媒体と、画像データを転写するのに必要な転写紙のサイズを取得するサイズ取得手段と、転写紙を供給する給紙手段と、前記各手段を制御し、画像データを転写するのに必要なサイズの前記転写紙を前記中間転写媒体の転写位置に供給し、当該転写紙上に画像を形成させる制御手段と、を備えたデジタル画像形成装置であって、前記制御手段は、前記中間転写体上に形成する面の数が２面に設定されたモードで画像を形成しているとき、前記記憶手段に予め記憶された２面目以降の画像データを転写するのに必要な転写紙のサイズと同じ転写紙が存在しない場合には、前記転写紙がなくなった面数以降に対応する画像データに基づいた前記作像手段による画像形成を行なわず、前記転写紙がなくなった面数以降でない画像についてのみ前記制御手段による画像形成を行なうことを特徴とする。
第１１の手段は、画像データを予め記憶する記憶手段と、該記憶手段に予め記憶された画像データに基づいて転写媒体に画像を書き込み、書き込まれた画像を現像し、転写媒体上に画像を形成する作像手段と、前記転写媒体上に作像された画像が転写され、当該転写された画像を複数面担持可能な中間転写媒体と、画像データを転写するのに必要な転写紙のサイズを取得するサイズ取得手段と、転写紙を供給する給紙手段とを備え、前記各手段によって画像データを転写するのに必要なサイズの前記転写紙を前記中間  転写媒体の転写位置に供給し、当該転写紙上に画像を形成させる画像形成方法であって、前記中間転写体上に形成する面の数が複数に設定されたモードで画像を形成しているとき、前記記憶手段に予め記憶された２面目以降の画像データを転写するのに必要な転写紙のサイズと同じ転写紙が存在しない場合には、前記転写紙がなくなった面数以降に対応する画像データに基づいた前記作像手段による画像形成を行なわず、前記転写紙がなくなった面数以降でない画像についてのみ画像形成を行なうことを特徴とする。
第１２の手段は、画像データを予め記憶する記憶手段と、該記憶手段に予め記憶された画像データに基づいて転写媒体に画像を書き込み、書き込まれた画像を現像し、転写媒体上に画像を形成する作像手段と、前記転写媒体上に作像された画像が転写され、当該転写された画像を複数面担持可能な中間転写媒体と、画像データを転写するのに必要な転写紙のサイズを取得するサイズ取得手段と、転写紙を供給する給紙手段と、前記各手段を制御し、画像データを転写するのに必要なサイズの前記転写紙を前記中間  転写媒体の転写位置に供給し、当該転写紙上に画像を形成させる制御手段と、を備えたデジタル画像形成装置の画像形成プログラムが記録された情報記録媒体であって、前記中間転写体上に形成する面の数が複数に設定されたモードで画像を形成しているとき、前記記憶手段に予め記憶された２面目以降の画像データを転写するのに必要な転写紙のサイズと同じ転写紙が存在しない場合には、前記転写紙がなくなった面数以降に対応する画像データに基づいた前記作像手段による画像形成を行なわず、前記転写紙がなくなった面数以降でない画像についてのみ画像形成を行わせる手順を備えた画像形成プログラムがコンピュータによって読み込まれ、実行可能に記録されていることを特徴とする。